(57)【要約】      （修正有）【課題】可動顎の間隙を除去可能なモンキーレンチを提供する。【解決手段】可動顎の間隙を除去可能なモンキーレンチは、本体２０と可動顎３０と弾性装置４０とを備える。本体には、固定顎２３と滑り溝２４と連通路２５とがそれぞれ形成されている。本体は、第１仮想平面と第２仮想平面とを有し、第１仮想平面は、操作端から遠く離れた滑り溝の一側の境界を通過する。滑り溝の垂直方向の断面中心には仮想連結線Ｘが形成されている。第１仮想平面と第２仮想平面は相互に平行し、第２仮想平面は仮想連結線を通過する。可動顎は、滑り溝内に設けられる摺動部３１と、連通路内に設けられる頸状部３２とを備える。弾性装置は、本体と可動顎との間に設けられ、かつ第１仮想平面と第２仮想平面との間に位置する。弾性装置が可動顎の摺動部を押動してそれを滑り溝の奥部に移動させることにより、可動顎が左右方向及び上下方向に揺れることを防止し、可動顎の間隙を除去することができる。【選択図】図２
0003192054.tif 000002
【実用新案登録請求の範囲】
【請求項１】
本体と、該本体に設けられた可動顎と、弾性装置とを備える可動顎の間隙を除去可能なモンキーレンチであって、
前記本体は、操作端と駆動端を備え、該操作端と該駆動端はそれぞれ、遠く離れている前記本体の両端に位置し、前記本体の前記駆動端には、固定顎と滑り溝と連通路とが形成され、該滑り溝と該連通路は、前記固定顎の一側に位置し、かつ前記固定顎から離れる方向に沿って延伸されており、前記連通路は、前記操作端から遠く離れた前記滑り溝の一側に位置し、かつ該滑り溝と相互に連通されており、前記滑り溝から遠く離れた前記連通路の一側は外部と連通されており、前記本体は、第１仮想平面と第２仮想平面とを有し、該第１仮想平面は、前記操作端から遠く離れた前記滑り溝の一側の境界を通過し、前記滑り溝の垂直方向の断面中心には仮想連結線が形成され、前記第１仮想平面と前記第２仮想平面は、相互に平行し、前記第２仮想平面は、前記滑り溝の仮想連結線を通過し、
前記可動顎は、前記固定顎と相互に対向するように設けられ、かつ摺動部と頸状部を備え、該摺動部は前記滑り溝内に設けられ、前記頸状部は前記連通路内に設けられることにより、前記可動顎が前記仮想連結線の軸方向に沿って前記固定顎に相対して摺動することができ、
前記弾性装置は、前記本体と前記可動顎との間に位置するとともに、前記第１仮想平面と前記第２仮想平面との間に位置するように前記滑り溝内に設けられ、前記弾性装置が前記本体と前記可動顎とを同時に押動することを特徴とする可動顎の間隙を除去可能なモンキーレンチ。
【請求項２】
前記可動顎の前記摺動部には２本の第１ラッチ溝が設けられ、該２本の第１ラッチ溝はそれぞれ、前記第１仮想平面と前記第２仮想平面との間に位置し、該２本の第１ラッチ溝は両方とも前記頸状部の同一側に位置し、前記弾性装置は第１弾性片を備え、該第１弾性片の両端には第１ラッチ脚がそれぞれ形成され、該２本の第１ラッチ脚はそれぞれ、前記２本の第１ラッチ溝内に係合されることを特徴とする請求項１に記載の可動顎の間隙を除去可能なモンキーレンチ。
【請求項３】
前記可動顎の前記摺動部には２本の第２ラッチ溝が更に設けられ、該２本の第２ラッチ溝はそれぞれ、前記第１仮想平面と前記第２仮想平面との間に位置し、該２本の第２ラッチ溝は両方とも、前記第１ラッチ溝の反対側にある前記頸状部の一側に位置し、前記弾性装置は、第２弾性片を更に備え、該第２弾性片の両端には第２ラッチ脚がそれぞれ形成され、該２本の第２ラッチ脚はそれぞれ、前記２本の第２ラッチ溝内に係合されることを特徴とする請求項２に記載の可動顎の間隙を除去可能なモンキーレンチ。
【請求項４】
前記２本の第１ラッチ溝は、前記滑り溝の仮想連結線の軸方向に沿って配列され、前記２本の第２ラッチ溝は、前記滑り溝の仮想連結線の軸方向に沿って配列されることを特徴とする請求項３に記載の可動顎の間隙を除去可能なモンキーレンチ。
【請求項５】
前記第１弾性片と前記第２弾性片は、Ｕ字形に形成されることを特徴とする請求項３に記載の可動顎の間隙を除去可能なモンキーレンチ。
【請求項６】
前記可動顎の前記摺動部には２本の第１ラッチ溝が設けられ、前記２本の第１ラッチ溝はそれぞれ、前記第１仮想平面と前記第２仮想平面との間に位置し、該２本の第１ラッチ溝は両方とも前記頸状部の同一側に位置し、前記弾性装置は２つの第１ばねを備え、該２つの第１ばねはそれぞれ、前記２本の第１ラッチ溝内に設けられることを特徴とする請求項１に記載の可動顎の間隙を除去可能なモンキーレンチ。
【請求項７】
前記可動顎の前記摺動部には２本の第２ラッチ溝が更に設けられ、前記２本の第２ラッチ溝はそれぞれ、前記第１仮想平面と前記第２仮想平面との間に位置し、該２本の第２ラッチ溝は両方とも、前記第１ラッチ溝の反対側にある前記頸状部の一側に位置し、前記弾性装置は２つの第２ばねを備え、該２つの第２ばねはそれぞれ、前記２本の第２ラッチ溝内に設けられることを特徴とする請求項６に記載の可動顎の間隙を除去可能なモンキーレンチ。
【請求項８】
前記２本の第１ラッチ溝は、前記滑り溝の仮想連結線の軸方向に沿って配列され、前記２本の第２ラッチ溝は、前記滑り溝の仮想連結線の軸方向に沿って配列されることを特徴とする請求項７に記載の可動顎の間隙を除去可能なモンキーレンチ。
【請求項９】
前記２本の第１ラッチ溝及び前記２本の第２ラッチ溝はいずれも円孔状に形成され、前記２つの第１ばね及び前記２つの第２ばねの両端はそれぞれ前記本体と前記可動顎とに当接されることを特徴とする請求項７に記載の可動顎の間隙を除去可能なモンキーレンチ。
【請求項１０】
前記滑り溝から遠く離れた前記連通路の一側の端面には、２つの第１付勢面がそれぞれ形成され、前記頸状部の前記摺動部から遠く離れた前記可動顎の一側には、２つの第２付勢面がそれぞれ形成され、当該第１付勢面と当該第２付勢面との間の間隙が０．２８ミリメートル以下であることを特徴とする請求項１に記載の可動顎の間隙を除去可能なモンキーレンチ。
【請求項１１】
前記２つの第２付勢面はそれぞれ、前記２つの第１付勢面に当接することを特徴とする請求項１０に記載の可動顎の間隙を除去可能なモンキーレンチ。
【請求項１２】
前記滑り溝は前記仮想連結線の径方向に沿う第１直径を有し、前記連通路は第１幅を有し、前記摺動部は前記仮想連結線の径方向に沿う第２直径を有し、前記第２直径は前記第１直径よりも小さく、前記頸状部は第２幅を有し、前記第２幅は前記第１幅よりも小さいことを特徴とする請求項１に記載の可動顎の間隙を除去可能なモンキーレンチ。
【考案の詳細な説明】
【技術分野】
【０００１】
本考案は、主にモンキーレンチに係り、特に、滑り溝内に設けられた弾性装置が本体と可動顎とを同時に押動することにより、可動顎の間隙を除去するモンキーレンチに関するものである。
【背景技術】
【０００２】
特許文献１（台湾実用新案登録第４５０１６１号）に記載されている「モンキーレンチの改良構造」を参照すると、該モンキーレンチは、頭部と把持部とを有する工具本体を備える。頭部には固定顎が設けられ、固定顎の内部には横方向の軌道が凹設され、軌道により可動顎が軌道内に移動可能に設けられる。軌道の頂部には横方向基準面に沿う階段部が設けられ、可動顎には横方向基準面に沿う肩部が形成され、肩部と階段部とは面接触する。肩部の両側には載置孔がそれぞれ凹設され、載置孔内には係止ラッチ装置が配置され、載置孔から凸出する係止ラッチ装置の一端は階段部を押動する。モンキーレンチが自然状態になるとき、係止ラッチ装置により、可動顎が階段部から離れる方向に移動するので、軌道に装着された可動顎の一端を軌道の内壁に当接させることができる。
【０００３】
特許文献２（台湾実用新案登録第４８８３３９号明細書）に記載されている「可動顎の側面傾斜防止可能なモンキーレンチ」を参照すると、該モンキーレンチは、本体と可動顎とＵ型弾性片とを備える。本体の一端には固定顎と滑り溝とが形成されている。可動顎は滑り溝内に収容される頸状部を備える。Ｕ型弾性片は、頸状部上に埋設され、かつ滑り溝の両側の壁面上に当接される。
【先行技術文献】
【特許文献】
【０００４】
【特許文献１】台湾実用新案登録第４５０１６１号公報
【特許文献２】台湾実用新案登録第４８８３３９号公報
【考案の概要】
【考案が解決しようとする課題】
【０００５】
しかしながら、上述したモンキーレンチ（特許文献１）を採用する場合、係止ラッチ装置により、可動顎が階段部から離れる方向に移動するため、可動顎の肩部と階段部との間の間隙が拡大され、かつ可動顎が左右に横揺れしやすい。上述した問題を解決するため、工具本本体と可動顎との間の嵌合公差の精密度に向上させなければ、可動顎が揺れることを防止することができない。
【０００６】
また、一般のモンキーレンチの製作するとき、完成品の良品率を確保するため、複数の品質管理検査を行う必要がある。その一種の検査方式は、可動顎の肩部と階段部との間の間隙の大きさを測定することである。上述したレンチを採用する場合、可動顎の肩部と階段部との間の間隙が最大化されるので、品質管理検査に合格しにくい。
【０００７】
上述したモンキーレンチ（特許文献２）を採用する場合、可動顎が左右に揺れる欠点のみを克服することができるが、実際に使用するとき、可動顎が上下に揺れる問題を解決することができない。すなわち、操作時の手触り感がよくないので、消費者に不良品というイメージを与える恐れがある。
【課題を解決するための手段】
【０００８】
本考案の目的は、可動顎の間隙を除去可能なモンキーレンチを提供することにある。本考案のモンキーレンチは、本体と可動顎と弾性装置とを備える。本体は、操作端と駆動端とを備え、該操作端及び駆動端はそれぞれ、相互に離れている本体の両端に位置している。本体の駆動端には、固定顎と滑り溝と連通路とが形成されている。滑り溝及び連通路は、固定顎の一側に位置し、かつ固定顎から遠く離れる方向に沿って延伸されている。連通路は、操作端から遠く離れた滑り溝の一側に位置し、かつ滑り溝と相互に連通されている。滑り溝から遠く離れた連通路の一側は、外部と相互に連通されている。本体は、第１仮想平面と第２仮想平面とを有し、第１仮想平面は、操作端から遠く離れた滑り溝の一側の境界を通過する。滑り溝の垂直方向の断面中心には仮想連結線が形成されている。第１仮想平面と第２仮想平面は相互に平行し、第２仮想平面は滑り溝の仮想連結線を通過する。可動顎は、固定顎と相互に対向するように本体に設けられ、かつ摺動部と頸状部とを備える。摺動部が滑り溝内に設けられ、頸状部が連通路内に設けられることにより、可動顎が仮想連結線の軸方向に沿って固定顎に相対して摺動することができる。弾性装置は、本体と可動顎との間に位置し、かつ第１仮想平面と第２仮想平面との間に位置するように滑り溝内に設けられる。弾性装置は、本体と可動顎とを同時に押動する。弾性装置が本体と可動顎との間に位置するとともに、第１仮想平面と第２仮想平面との間に位置し、かつ弾性装置が可動顎の摺動部を押動してそれを滑り溝の奥部に移動させすることにより、可動顎が左右方向及び上下方向に揺れるのを防止し、間隙を徹底的に除去することが可能となる。
【図面の簡単な説明】
【０００９】
【図１】本考案の可動顎の間隙を除去可能なモンキーレンチの第１の実施例を示す斜視図である。
【図２】本考案の可動顎の間隙を除去可能なモンキーレンチの第１の実施例を示す分解斜視図である。
【図３】本考案の可動顎の間隙を除去可能なモンキーレンチの第１の実施例を示す側面図である。
【図４】図３の４−４線に沿う断面を示す断面構造図である。
【図５】図４に沿う断面を示す局部拡大断面構造図である。
【図６】図３の６−６線に沿う断面を示す断面構造図である。
【図７】本考案の図６に沿って得られる局部的拡大断面構造図である。
【図８】本考案の可動顎の間隙を除去可能なモンキーレンチの第２の実施例を示す斜視図である。
【図９】本考案の可動顎の間隙を除去可能なモンキーレンチの第２の実施例の弾性装置を示す分解斜視図である。
【図１０】本考案の可動顎の間隙を除去可能なモンキーレンチの第２の実施例を示す断面構造図である。
【図１１】図１０に沿う断面を示す局部拡大断面構造図である。
【図１２】本考案の可動顎の間隙を除去可能なモンキーレンチの第３の実施例を示す分解斜視図である。
【図１３】本考案の可動顎の間隙を除去可能なモンキーレンチの第３の実施例の弾性装置を示す断面構造図である。
【図１４】図１３に沿う断面を示す局部拡大断面構造図である。
【考案を実施するための形態】
【００１０】
（第１の実施例）
図１〜図３はそれぞれ、本考案の可動顎の間隙を除去可能なモンキーレンチの第１の実施例示す斜視外観図、斜視分解図及び側面図である。図面に示すとおり、本考案のモンキーレンチ１０は、本体２０と、可動顎３０と、弾性装置４０とを備える。
【００１１】
図４〜図７はそれぞれ、本考案の可動顎の間隙を除去可能なモンキーレンチの第１の実施例を示す断面構造図及び局部的拡大断面構造図である。前記本体２０は、操作端２１と駆動端２２を備える。前記操作端２１と前記駆動端２２はそれぞれ、遠く離れる前記本体２０の両端に位置している。前記操作部２１は、使用者が握持して操作するためのものである。前記本体２０の前記駆動端２２には、固定顎２３と滑り溝２４と連通路２５とが形成されている。前記滑り溝２４と前記連通路２５は、前記固定顎２３の一側に位置し、かつ前記固定顎２３から離れる方向に延伸されている。前記連通路２５は、前記操作端２１から遠く離れた前記滑り溝２４の一側に位置し、かつ該滑り溝２４と相互に連通されている。前記滑り溝２４から遠く離れた前記連通路２５の一側は外部と相互に連通され、前記滑り溝２４から遠く離れた前記連通路２５の一側の端面には、２つの第１付勢面２６がそれぞれ形成されている。
【００１２】
前記本体２０は、第１仮想平面Ｐ１と第２仮想平面Ｐ２を有する。前記第１仮想平面Ｐ１は、前記操作端２１から遠く離れた前記滑り溝２４の一側の境界を通過し、前記滑り溝２４の垂直方向の断面中心には仮想連結線Ｘが形成されている。第１仮想平面Ｐ１と前記第２仮想平面Ｐ２は相互に平行し、第２仮想平面Ｐ２は前記滑り溝２４の仮想連結線Ｘを通過する。前記滑り溝２４は前記仮想連結線Ｘの径方向に沿う第１直径Ｄ１を有し、前記連通路２５は第１幅Ｗ１を有する。
【００１３】
前記可動顎３０は、前記固定顎２３と相互に対向するように前記本体２０に設けられる。前記可動顎３０は、摺動部３１と頸状部３２とを備える。前記摺動部３１が前記滑り溝２４内に設けられ、前記頸状部３２が前記連通路２５内に設けられることにより、前記可動顎３０が前記仮想連結線Ｘの軸方向に沿って前記固定顎２３に相対して摺動することできる。すなわち、前記可動顎３０が前記固定顎２３に近接する方向に移動するか、或いは前記可動顎３０から離れる方向に移動することができる。前記摺動部３１は、前記仮想連結線Ｘの径方向に沿う第２直径Ｄ２を有し、前記第２直径Ｄ２は、前記第１直径Ｄ１よりも小さい。前記頸状部３２は、第２幅Ｗ２を有し、前記第２幅Ｗ２は、前記第１幅Ｗ１よりも小さい。
【００１４】
前記可動顎３０において、前記摺動部３１から遠く離れた前記頸状部３２の一側には、２つの第２付勢面３３がそれぞれ形成されている。前記２つの第２付勢面３３はそれぞれ、前記２つの第１付勢面２６に当接される。前記可動顎３０において、前記摺動部３１には２本の第１ラッチ溝３４がさらに設けられている。前記２本の第１ラッチ溝３４はそれぞれ、前記第１仮想平面Ｐ１と前記第２仮想平面Ｐ２との間に位置し、該２本の第１ラッチ溝３４は両方とも、前記頸状部３２の同一側に位置している。前記２本の第１ラッチ溝３４は、前記滑り溝２４の仮想連結線Ｘの軸方向に沿って配列されている。
【００１５】
前記弾性装置４０は、前記滑り溝２４内に設けられ、かつ前記本体２０と前記可動顎３０との間に位置する。前記弾性装置４０は、前記第１仮想平面Ｐ１と前記第２仮想平面Ｐ２との間に位置し、かつ前記本体２０と前記可動顎３０とを同時に押動する。本実施例において、前記弾性装置４０は第１弾性片４１である。前記第１弾性片４１の両端には、湾曲された第１ラッチ脚４１１が設けられている。前記第１弾性片４１は、Ｕ字形に形成され、前記２本の第１ラッチ脚４１１はそれぞれ、前記２本の第１ラッチ溝３４内に係合される。
【００１６】
前記弾性装置４０は、前記本体２０と前記可動顎３０との間に設けられ、かつ前記第１仮想平面Ｐ１と前記第２仮想平面Ｐ２との間に位置する。前記第１弾性片４１が前記可動顎３０を押動するとき、前記可動顎３０が前記第１弾性片４１の一側から離れて前記本体２０に当接され、かつ押動により前記可動顎３０の摺動部３１が前記滑り溝２４の奥部まで移動する。これにより、前記該第２付勢面３３を前記第１付勢面２６に緊密に当接させ、当該第１付勢面２６と当該第２付勢面３３との間の間隙を除去することができる。したがって、製造時の公差により前記第１付勢面２６と前記第２付勢面３３との間に間隙が生じる場合、当該第１付勢面２６と当該第２付勢面３３との間の間隙が０．２８ミリメートル以下になるように確保し、かつ前記モンキーレンチ１０が自然状態になる際に、該第１付勢面２６が当該第２付勢面３３に緊密に当接されることを確保することができる。
【００１７】
前記弾性装置４０で前記本体２０と前記可動顎３０との間の間隙を除去することができるので、前記モンキーレンチ１０の製造するとき、前記本体２０と前記可動顎３０との間の嵌合公差を低減することができる。前記第１幅Ｗ１と前記第２幅Ｗ２との差異がやや大きいか、或いは前記第１直径Ｄ１と前記第２直径Ｄ２との差異がやや大きい場合、前記弾性装置４０で前記間隙を除去することできるので、前記モンキーレンチ１０の製造コストを有効に削減することができる。かつ前記弾性装置４０の前記第１弾性片４１を前記２本の第１ラッチ溝３４内に挿入させることにより、前記弾性装置４０の組立てを容易に行うことができ、かつ使用寿命を長くすることができる。
【００１８】
（第２の実施例）
図８〜図１１はそれぞれ、本考案の可動顎の間隙を除去可能なモンキーレンチの第２の実施例を示す分解斜視図、弾性装置の分解斜視図、断面構造図及び局部拡大断面構造図である。本考案の第２の実施例と第１の実施例とはほぼ同様であるが、両者の主な相違点は、第２の実施例の可動顎３０の摺動部３１に２本の第２ラッチ溝３５が更に設けられることにある。前記２本の第２ラッチ溝３５はそれぞれ、第１仮想平面Ｐ１と第２仮想平面Ｐ２との間に位置し、該２本の第２ラッチ溝３５は両方とも、第１ラッチ溝３４の反対側にある頸状部３２の一側に位置している。前記２本の第２ラッチ溝３５は、滑り溝２４の仮想連結線Ｘの軸方向に沿って配列されている。本考案の弾性装置４０は第２弾性片４２を更に備え、該第２弾性片４２の両端には湾曲された第２ラッチ脚４２１がそれぞれ設けられている。前記第２弾性片４２はＵ字形に形成され、前記２本の第２ラッチ脚４２１はそれぞれ、前記２本の第２ラッチ溝３５内に係合される。
【００１９】
前記弾性装置４０は、第１弾性片４１と前記第２弾性片４２を備え、該第１弾性片４１と該第２弾性片４２はそれぞれ、前記可動顎３０の両側に位置する。前記可動顎３０が自然状態になる際に、該可動顎３０が前記滑り溝２４と連通路２５の中央に位置し、前記可動顎３０と前記本体２０との間の接触面積を減少させることができるので、前記可動顎３０が前記固定顎２３に相対して円滑に移動することができる。
【００２０】
（第３の実施例）
図１２〜図１４はそれぞれ、本考案の可動顎の間隙を除去可能なモンキーレンチの第３の実施例を示す分解斜視図、弾性装置の断面構造図及び局部拡大断面構造図である。本考案の第３の実施例と第２の実施例とはほぼ同様であるが、両者の主な相違点は、第３の実施例の２本の第１ラッチ溝３４ａと２本の第２ラッチ溝３５ａはいずれも円孔状に形成され、弾性装置４０ａは２つの第１ばね４３ａと２つの第２ばね４４ａとを備えることにある。前記２つの第１ばね４３ａはそれぞれ、前記２本の第１ラッチ溝３４ａ内に設けられ、前記２つの第２ばね４４ａはそれぞれ、前記２本の第２ラッチ溝３５ａ内に設けられる。当該第１ばね４３ａ及び当該第２ばね４４ａの両端はそれぞれ、本体２０ａと可動顎３０ａとに当接される。
【００２１】
第３の実施例中の前記弾性装置４０ａは、前記第１ばね４３ａと前記第２ばね４４ａを採用することにより、モンキーレンチ１０ａの部品製造コストを有効に削減することができる。そして、前記第１ラッチ溝３４ａ及び前記第２ラッチ溝３５ａを穿孔方式で形成することができるので、容易に加工することができる。かつ、前記２つの第１ばね４３ａ及び前記２つの第２ばね４４ａをそれぞれ前記２つの第１ラッチ溝３４ａ及び前記２つの第２ラッチ溝３５ａ内に装着すれば、組立てが済むので、モンキーレンチの組立てを迅速に済ますことができる。しかも、前記２つの第１ばね４３ａ及び前記２つの第２ばね４４ａと前記本体２０ａとの間に鋼球（未図示）をそれぞれ設けることにより、可動顎３０ａが本体２０ａに相対して摺動する時のスムーズを増加させることができる。
【００２２】
上述した構造により、本考案の可動顎の間隙を除去可能なモンキーレンチは、つぎのような利点を奏することができる。
【００２３】
１．本考案に係る可動顎の間隙を除去可能なモンキーレンチにおいて、モンキーレンチは、本体と可動顎と弾性装置とを備え、該本体は、操作端と駆動端とを備える。操作端及び駆動端はそれぞれ、相互に遠く離れている本体の両端に位置する。本体の駆動端には、固定顎と滑り溝と連通路とがそれぞれ形成されている。滑り溝と連通路は、固定顎の一側に位置し、かつ固定顎から離れる方向に延伸され、連通路は、操作端から遠く離れた滑り溝の一側に位置し、かつ滑り溝と相互に連通され、滑り溝から遠く離れた連通路の一側は、外部と相互に連通されている。本体は、第１仮想平面と第２仮想平面とを有し、第１仮想平面は、操作端から遠く離れた滑り溝の一側の境界を通過し、滑り溝の垂直方向の断面中心には、仮想連結線が形成されている。第１仮想平面と第２仮想平面は相互に平行し、かつ第２仮想平面は滑り溝の仮想連結線を通過する。可動顎は、固定顎と相互に対向するように本体に設けられ、かつ摺動部と頸状部を備える。摺動部は滑り溝内に設けられ、頸状部は連通路内に設けられることにより、可動顎が仮想連結線の軸方向に沿って固定顎に相対して摺動することができる。弾性装置は、本体と可動顎との間に位置するとともに、第１仮想平面と第２仮想平面との間に位置するように滑り溝内に設けられる。弾性装置は、本体と可動顎とを同時に押動する。弾性装置が本体と可動顎との間に位置するとともに、第１仮想平面と第２仮想平面との間に位置し、かつ該弾性装置が可動顎の摺動部を押動してそれを滑り溝の奥部に移動させることにより、可動顎が左右方向及び上下方向に揺れることを防止し、可動顎の間隙を除去することができる。
【符号の説明】
【００２４】
１０：モンキーレンチ
２０：本体
２１：操作端
２２：駆動端
２３：固定顎
２４：滑り溝
２５：連通路
２６：第１付勢面
３０：可動顎
３１：摺動部
３２：頸状部
３３：第２付勢面
３４：第１ラッチ溝
３５：第２ラッチ溝
４０：弾性装置
４１：第１弾性片
４１１：第１ラッチ脚
４２：第２弾性片
４２１：第２ラッチ脚
１０ａ：モンキーレンチ
２０ａ：本体
３０ａ：可動顎
３４ａ：第１ラッチ溝
３５ａ：第２ラッチ溝
４０ａ：弾性装置
４３ａ：第１ばね
４４ａ：第２ばね
Ｄ１：第１直径
Ｄ２：第２直径
Ｐ１：第１仮想平面
Ｐ２：第２仮想平面
Ｗ１：第１幅
Ｗ２：第２幅
Ｘ：仮想連結線
【図１】
0003192054.tif 000003
【図２】
0003192054.tif 000004
【図３】
0003192054.tif 000005
【図４】
0003192054.tif 000006
【図５】
0003192054.tif 000007
【図６】
0003192054.tif 000008
【図７】
0003192054.tif 000009
【図８】
0003192054.tif 000010
【図９】
0003192054.tif 000011
【図１０】
0003192054.tif 000012
【図１１】
0003192054.tif 000013
【図１２】
0003192054.tif 000014
【図１３】
0003192054.tif 000015
【図１４】
0003192054.tif 000016